(57)【要約】      （修正有）【課題】先端部を常に誤差や摩耗や歪みの生じていない新しい状態に維持することが可能なピンセットを提供する。【解決手段】先端部４ａが弾性的に接近及び離間が可能になされた２股状のピンセット本体４と、前記ピンセット本体の先端部に着脱可能に設けられて対象物を挟み込んで把持する一対の把持刃先８と、を有するピンセットにおいて、前記把持刃先には、該把持刃先の先端部を折り取り可能とするために前記把持刃先の長手方向に交わるようにして１つ或いは複数の折り溝が形成されている。これにより、先端部を常に誤差や摩耗や歪みの生じていない新しい状態に維持することが可能となる。【選択図】図１
2008200784.tif 000002
【特許請求の範囲】
【請求項１】
先端部が弾性的に接近及び離間が可能になされた２股状のピンセット本体と、
前記ピンセット本体の先端部に着脱可能に設けられて対象物を挟み込んで把持する一対の把持刃先と、
を有するピンセットにおいて、
前記把持刃先には、該把持刃先の先端部を折り取り可能とするために前記把持刃先の長手方向に交わるようにして１つ或いは複数の折り溝が形成されていることを特徴とするピンセット。
【発明の詳細な説明】
【技術分野】
【０００１】
本発明は、微細試料等の対象物を挟み込んで採取する時等に用いるピンセットに関する。
【背景技術】
【０００２】
一般に、半導体集積回路等の分野においては、半導体ウエハやＩＣ（集積回路）、或いはそれ以外にも微細試料等を取り扱う場合には、これらの取り扱う対象物が非常に小さいことから、ピンセットが用いられる。またピンセットで取り扱う対象物の寸法に対応させて先端部が取り替え可能になされたピンセットが、例えば特許文献１に開示されている。
【０００３】
この種のピンセットにより微細な対象物を挟み込んで採取（摘み取り）する場合には、その先端部における尖形の精度が重要となる。例えばピンセットの先端が鋭く尖っている程、より小さな微細な対象物に対して有効であり、採取が容易となる。また、対をなす先端部同士の合わさり具合が対象物に対する接触面での密着性に影響を与えることになり、この先端部における誤差やズレ等が少ない程、より確実に対象物を挟み込んで把持することができる。
【０００４】
【特許文献１】特開平５−２９４４４号公報
【発明の開示】
【発明が解決しようとする課題】
【０００５】
ところで、上記ピンセットは使用頻度が増すにつれて、その先端部に摩耗や歪みが生ずることは避け難く、先端部は次第に鈍ってしまって対象物を挟み込んで採取するのが次第に困難になる傾向にある。
【０００６】
この場合、この先端部に研磨等を施して補修することもできるが、この補修には先端部の形状や寸法等が非常に小さいことから、ある程度の技巧や熟練が必要であるのみならず、補修時間や研磨紙等の間接材料が必要とされる、という問題があった。例えば対象物が数十μ程度の大きさの場合には＃５０００〜程度の高価な研磨紙が必要とされ、コストも要してしまう。
【０００７】
本発明は、以上のような問題点に着目し、これを有効に解決すべく創案されたものである。本発明の目的は、先端部を常に誤差や摩耗や歪みの生じていない新しい状態に維持することが可能なピンセットを提供することにある。
【課題を解決するための手段】
【０００８】
請求項１に係る発明は、先端部が弾性的に接近及び離間が可能になされた２股状のピンセット本体と、前記ピンセット本体の先端部に着脱可能に設けられて対象物を挟み込んで把持する一対の把持刃先と、を有するピンセットにおいて、前記把持刃先には、該把持刃先の先端部を折り取り可能とするために前記把持刃先の長手方向に交わるようにして１つ或いは複数の折り溝が形成されていることを特徴とするピンセットである。
【発明の効果】
【０００９】
本発明に係るピンセットによれば、把持刃先には、該把持刃先の先端部を折り取り可能とするために前記把持刃先の長手方向に交わるようにして１つ或いは複数の折り溝が形成されているので、ある程度使用した段階で上記把持刃先の最先端箇所を折り取るようにすれば、補修等することなく先端部を常に誤差や摩耗や歪みの生じていない新しい状態に維持することができる。
【発明を実施するための最良の形態】
【００１０】
以下に本発明に係るピンセットの一実施例を添付図面に基づいて詳述する。
図１は本発明に係るピンセットを示す平面図、図２はピンセットを示す側面図、図３は図１中のＡ部の分解状態を含む拡大斜視図、図４はピンセットの把持刃先を示す拡大斜視図、図５は図４中のＢ部を示す拡大図である。
【００１１】
図１及び図２に示すように、ピンセット２は、先端部側が弾性的に接近及び離間が可能になされた二股状のピンセット本体４を有している。このピンセット本体４は例えばステンレス等よりなり、人間の手で挟むのに適した形状となって矢印６に示す方向に弾性的に変形するようになっている。
【００１２】
この二股状のピンセット本体４の先端部４ａには、対象物を挟み込むための本発明の特徴とする一対の把持刃先８が着脱可能に設けられる。具体的には、図３にも示すように、この把持刃先８は所定の長さを有しており、上記ピンセット本体４の両先端部４ａに、それぞれ押圧固定板１０により挟み込むようにして取り付けられる。この固定に際しては、この押圧固定板１０とピンセット本体４の先端部４ａとにそれぞれネジ孔１２、１４を形成し、このネジ孔１２、１４に外側よりネジ１６を挿通して締め付けることにより取り付け固定される。このネジ１６は、作業者の指、或いはネジ回し等により回すことにより締め付け及び締め付けの解除を容易に行うことができ、この把持刃先８を先端側へ位置ずれさせたり、或いは簡単に交換できるようになっている。
【００１３】
そして、この把持刃先８は、板状に長く形成されており、図４及び図５にも示すように、この把持刃先８には、この長手方向に交わるようにして１つ或いは複数の折り溝１８が所定の間隔で平行に形成されて、上記折り溝１８毎に部分的に折り取り易いようになっている。従って、上記折り溝１８を支点として先端側を折り曲げるように力を加えることにより、その最先端部を曲げて割り取ることができるようになっている。この場合、各折り溝１８と把持刃先８の側面とで形成される形状は対象物を挟み取り易くするために、角部が鋭角状になるように略菱形形状になっている。従って、割り取られた破片８ａは図５にも示すように略菱形形状となっている。
【００１４】
この場合、挟み込む対象物の寸法等にもよるが、この把持刃先８の幅Ｗ１は例えば５ｍｍ程度、折り溝１８のピッチＨ１は例えば３ｍｍ程度である。また、この把持刃先８の材料は、例えばステンレス等よりなる。
【００１５】
上述のように、本発明のピンセット２は形成されているので、対象物を挟み込んで使用するに従って、把持刃先８の先端部が摩耗したり、歪が生じて鈍ってきた時には、把持刃先８の最先端部分の折り溝１８を支点として折り曲げるように力を加える。すると、この把持刃先８の最先端部分は図５に示すように、最先端に位置する折り溝１８に沿って割り取られることになり、鈍くなった部分が破片８ａとなって取り除かれると共に、把持刃先８の先端部は新たな摩耗や歪みが生じていない状態となる。
【００１６】
このように、把持刃先８には、この把持刃先８の先端部を折り取り可能とするために上記把持刃先８の長手方向に交わるようにして１つ或いは複数の折り溝１８が形成されているので、ある程度使用した段階で上記把持刃先８の最先端箇所を折り取るようにすれば、補修等することなく先端部を常に誤差や摩耗や歪みの生じていない新しい状態に維持することができる。
【００１７】
また、上記把持刃先８の先端側を繰り返し上述のように割り取って把持刃先８が短くなったならば、押圧固定板１０を締め付けるネジ１６を緩めてこの把持刃先８を先端側へ位置をずらして再度固定すればよい。また、最終的に把持刃先８自体が極限まで短くなったならば、新たな把持刃先８と交換することになる。
【００１８】
また、挟み込む対象物の材質や形状等に応じて各種多様な把持刃先８を用意しておけば、対象物の多種多様な形態に対応することができる。
【図面の簡単な説明】
【００１９】
【図１】本発明に係るピンセットを示す平面図である。
【図２】ピンセットを示す側面図である。
【図３】図１中のＡ部の分解状態を含む拡大斜視図である。
【図４】ピンセットの把持刃先を示す拡大斜視図である。
【図５】図４中のＢ部を示す拡大図である。
【符号の説明】
【００２０】
２…ピンセット、４…ピンセット本体、４ａ…先端部、８…把持刃先、８ａ…破片、１０…押圧固定板、１４…ネジ孔、１６…ネジ、１８…折り溝。
【図１】
2008200784.tif 000003
【図２】
2008200784.tif 000004
【図３】
2008200784.tif 000005
【図４】
2008200784.tif 000006
【図５】
2008200784.tif 000007